(57)【要約】【課題】  洗車機の構成を単純化すること。【解決手段】  車両移動式洗車機１０において、洗車装置２０の入口側から出口側に渡る台車走行路３１を設け、台車３０の前後に連結したワイヤ３３をワイヤ駆動装置３２により正逆両方向に駆動し、車両１を搭載した台車３０を台車走行路３１に沿って往復可能にするもの。【選択図】  図１
2008273321.tif 000002
【特許請求の範囲】
【請求項１】
洗車装置を固定設置し、台車に載せた車両を洗車装置に対して移動する車両移動式洗車機において、
洗車装置の入口側から出口側に渡る台車走行路を設け、
台車の前後に連結したワイヤをワイヤ駆動装置により正逆両方向に駆動し、車両を搭載した台車を台車走行路に沿って往復可能にすることを特徴とする車両移動式洗車機。
【請求項２】
前記洗車装置の入口側に待機する台車に車両を進入可能にし、往復によって洗車装置の入口側に戻った台車から車両を退出可能にする請求項１に記載の車両移動式洗車機。
【発明の詳細な説明】
【技術分野】
【０００１】
本発明は車両移動式洗車機に関する。
【背景技術】
【０００２】
洗車装置を固定設置し、台車に載せた車両を洗車装置に対して移動する車両移動式洗車機として、特許文献１に記載のものがある。特許文献１に記載の洗車機は、前後の車両Ｖ1〜Ｖ3を搭載するパレットＰ1〜Ｐ3を洗車装置の入口側〜出口側に敷設した往路用搬送手段と復路用搬送手段を用いて循環使用する。車両を載せたパレットを往路用搬送手段により洗車装置の入口から出口側に移送し、この一往路で洗車された車両を洗車装置の出口側でパレットから払い出して退出させるとともに、車両が退出して空になったパレットを復路用搬送手段により洗車装置の入口側に戻すものである。
【特許文献１】特開平7-186906
【発明の開示】
【発明が解決しようとする課題】
【０００３】
特許文献１に記載の洗車機には以下の問題点がある。
(1)複数のパレットを循環使用するに際し、互いに独立の往路用搬送手段と復路用搬送手段を設け、洗車装置の入口側と出口側のそれぞれに、パレットを往路用搬送手段と復路用搬送手段の間で受渡しする受渡手段を設ける必要があり、複雑である。パレットの循環が不安定になるし、メンテナンス性が悪い。
【０００４】
(2)往路用搬送手段、復路用搬送手段、入口側と出口側の受渡手段のそれぞれに駆動モータを必要とし、エネルギ効率が悪い。
【０００５】
(3)往路用搬送手段、復路用搬送手段は、寒冷地での凍結対策が必要になる。
【０００６】
(4)車両は洗車装置に対する一往路でブラッシング及び乾燥されて洗車終了となるものであり、洗車装置は車両に対するブラッシングエリアと乾燥エリアを車両移動方向に沿って大きく離隔させて配置する必要があるから、洗車装置、ひいては洗車機が長大化する。
【０００７】
本発明の課題は、洗車機の構成を単純化することにある。
【０００８】
本発明の他の課題は、洗車機を短尺化することにある。
【課題を解決するための手段】
【０００９】
請求項１の発明は、洗車装置を固定設置し、台車に載せた車両を洗車装置に対して移動する車両移動式洗車機において、洗車装置の入口側から出口側に渡る台車走行路を設け、台車の前後に連結したワイヤをワイヤ駆動装置により正逆両方向に駆動し、車両を搭載した台車を台車走行路に沿って往復可能にするようにしたものである。
【００１０】
請求項２の発明は、請求項１の発明において更に、前記洗車装置の入口側に待機する台車に車両を進入可能にし、往復によって洗車装置の入口側に戻った台車から車両を退出可能にするようにしたものである。
【発明の効果】
【００１１】
（請求項１）
(a)車両を載せた台車が往復使用されるものであり、台車の前後に連結したワイヤをワイヤ駆動装置により正逆両方向に駆動し、車両を搭載した台車を台車走行路に沿って往復可能にすることにより、台車を単純な構成により安定、確実に往復させることができる。台車を往復させるための可動部が少なく、メンテナンス性も良くなり、設備寿命も長くなる。
【００１２】
(b)台車の往復のための駆動源は、ワイヤ駆動装置の駆動モータ１基だけで足り、エネルギ効率が良い。
【００１３】
(c)台車の往復をワイヤにより牽引するものであって確実であり、寒冷地での氷結対策は不要になる。
【００１４】
（請求項２）
(d)洗車装置の入口側に待機する台車に車両を進入可能にし、往復によって洗車装置の入口側に戻った台車から車両を退出可能にすることができる。車両は洗車装置に対する往路でブラッシング、復路で乾燥して洗車終了とすることができ、洗車装置は車両に対するブラッシングエリアと乾燥エリアを車両移動方向に沿って大きく離隔させて配置する必要がなく、洗車装置、ひいては洗車機を短尺化できる。車両は、洗車機の一方側（入口側）から進入して当該一方側に退出するものになるから、洗車機の他方側に退出エリアを設ける必要がなく、洗車場スペースが有利になる。
【発明を実施するための最良の形態】
【００１５】
図１は洗車機を示す側面図、図２は図１の平面図、図３は図１の断面図である。
【実施例】
【００１６】
図１〜図３に示す車両移動式洗車機１０は、洗車場１１に洗車装置２０を固定設置し、台車３０に載せた車両１を洗車装置２０に対して移動する。
【００１７】
洗車装置２０は、台車３０の往復路を跨いで固定設置される門型フレーム２１を有し、この門型フレーム２１には、車両１の車体面をブラッシングするためのトップブラシ、サイドブラシ等のブラッシング手段２２、車両１の車体面を乾燥するためのトップノズル、サイドノズル等のノズル手段２３、更には洗浄水、リンス水、水性ワックス等を車両１の車体面に噴射する、それらの噴射装置等を備える。
【００１８】
洗車装置２０は、ノズル手段２３に送風するブロア２４を門型フレーム２１から離して別置き式で地上に固定設置できるから、ブロア２４を大型化して１基に集約でき、ひいては騒音防止対策が容易になる。１基だけのブロア２４を遮音箱で囲み、その吸込口に対する騒音防止対策も容易になる。また、洗浄水等のためのポンプ、タンク２５等も門型フレーム２１から離して別置き式で地上に固定設置できる。また、ブラッシング手段２２やノズル手段２３のための給電ケーブル、給水ケーブル等は吊下げポール等により可動敷設する必要がなく、普通敷設できる。
【００１９】
洗車機１０は、洗車装置２０の入口側から出口側に渡るピット１２に台車走行路３１を敷設し、この台車走行路３１に台車３０を走行可能に載架する。台車３０の台車面は、洗車装置２０の少なくとも入口側で地上面と面一をなす。
【００２０】
洗車機１０は、ピット１２の内部で、台車走行路３１の側傍にワイヤ駆動装置３２を設置している。台車３０の前後に連結したワイヤ３３をワイヤ起動装置３２の電動モータ３５により強弱両方向に駆動し、車両１を搭載した台車３０を台車走行路３１に沿って往復可能にする。ワイヤ駆動装置３２には、ワイヤ３３を複数のターンローラ３４に巻き回し、テークアップ機構付電動モータ３５によりワイヤ３３の張りを調整できる。
【００２１】
洗車機１０は、必要により温風ブロアを設置し、ピット１２内に温風を送風して夜間の氷結を防止できる。
【００２２】
洗車機１０は、図１に示す如く、洗車装置２０の入口側に待機する台車３０に車両１を進入可能にし、台車走行路３１に沿って往復し、洗車装置２０の入口側に戻った台車３０から車両１を後退させることにより退出可能にする。洗車装置２０は、例えば、車両１を載せた台車３０が入口側から出口側に移動する往路で、車両１をブラッシング手段２２によりブラッシングし、台車３０が出口側から入口側に戻る復路で、車両１をノズル手段２３により乾燥して洗車終了とする。洗車装置２０は、台車３０の一往復で車両１を洗車終了するものに限らず、台車３０の２往復等で車両１を洗車終了することもできる。
【００２３】
尚、洗車機１０は、洗車装置２０の入口側に待機する台車３０に車両１を進入させた後、台車３０の１往路又は1.5往復等で洗車装置２０により洗車終了し、洗車装置２０の出口側に達した台車３０から車両１をその出口前方に向けて前進させることにより退出させても良い。
【００２４】
本実施例によれば以下の作用効果を奏する。
(a)車両１を載せた台車３０が往復使用されるものであり、台車３０の前後に連結したワイヤ３３をワイヤ駆動装置３２により正逆両方向に駆動し、車両１を搭載した台車３０を台車走行路３１に沿って往復可能にすることにより、台車３０を単純な構成により安定、確実に往復させることができる。台車３０を往復させるための可動部が少なく、メンテナンス性も良くなり、設備寿命も長くなる。
【００２５】
(b)台車３０の往復のための駆動源は、ワイヤ駆動装置３２の電動モータ３５が１基だけで足り、エネルギ効率が良い。
【００２６】
(c)台車３０の往復をワイヤ３３により牽引するものであって確実であり、寒冷地での氷結対策は不要になる。
【００２７】
(d)洗車装置２０の入口側に待機する台車３０に車両１を進入可能にし、往復によって洗車装置２０の入口側に戻った台車３０から車両１を退出可能にすることができる。車両１は洗車装置２０に対する往路でブラッシング、復路で乾燥して洗車終了とすることができ、洗車装置２０は車両１に対するブラッシングエリアと乾燥エリアを車両移動方向に沿って大きく離隔させて配置する必要がなく、洗車装置２０、ひいては洗車機１０を短尺化できる。車両１は、洗車機１０の一方側（入口側）から進入して当該一方側に退出するものになるから、洗車機１０の他方側に退出エリアを設ける必要がなく、洗車場スペースが有利になる。
【００２８】
尚、洗車機１０にあっては、洗車装置２０を固定設置したから、洗車装置２０に各種機器を付帯さえることが容易になり、門型フレーム２１に防音フレームを取付け、或いは門型フレームの２１の前後面に遮音カーテンを取付ける等が容易になる。また、洗車装置２０の固定化により転倒のおそれがないから、高さ制限もなくなり、ノズル手段２３のブロア噴出口の形状も自在に合理化できる。
【００２９】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３０】
【図１】図１は洗車機を示す側面図である。
【図２】図２は図１の平面図である。
【図３】図３は図１の断面図である。
【符号の説明】
【００３１】
１  車両
１０  洗車機
２０  洗車装置
３０  台車
３１  台車走行路
３２  ワイヤ駆動装置
３３  ワイヤ
【図１】
2008273321.tif 000003
【図２】
2008273321.tif 000004
【図３】
2008273321.tif 000005